(57)【要約】【課題】電気光学装置において、画像表示領域の際で表示される画像又は文字等が周辺領域に重なるような場合であっても、これらを容易に認識しえるようにする。【解決手段】一方の方向に延在するデータ電極、これに交差する方向に延在する走査電極、これらデータ電極及び走査電極の交差領域に対応して設けられる画素部とからなる画像表示領域（ＤＡＲ）を備えた電気光学装置であって、画像表示領域外に位置する周辺領域（ＰＡＲ）は、画像表示領域内に表示される画像の階調とは異なる階調の表示がなされている。これは例えば、データ電極及び走査電極それぞれに沿ってダミー電極を設けるとともに、該ダミー電極に対して所定波形の電圧を印加することによって実現される。【選択図】　　　図９
2004029580.tif 000002
【特許請求の範囲】
【請求項１】
一方の方向に延在する第１導電部と、該一方の方向に交差する方向に延在する第２導電部と、該第１導電部及び該第２導電部の交差領域に対応して設けられる画素部とからなる画像表示領域を備えた電気光学装置であって、
前記画像表示領域外に位置する周辺領域は、当該画像表示領域内に表示される画像の階調とは異なる階調の表示がなされていることを特徴とする電気光学装置。
【請求項２】
前記周辺領域には、前記第１導電部に沿って設けられた第１表示領域外導電部と、前記第２導電部に沿って設けられた第２表示領域外導電部とが形成されており、
前記異なる階調の表示は、前記第１表示領域外導電部及び前記第２表示領域外導電部それぞれに対して所定波形の電圧を印加することによって実現されることを特徴とする請求項１に記載の電気光学装置。
【請求項３】
一方の方向に延在する第１導電部と、該一方の方向に交差する方向に延在する第２導電部と、該第１導電部及び該第２導電部の交差領域に対応して設けられる画素部とからなる画像表示領域を備えた電気光学装置であって、
前記画像表示領域外の周辺領域に、前記第１導電部に沿って設けられる第１表示領域外導電部と、
前記周辺領域に、前記第２導電部に沿って設けられる第２表示領域外導電部とを備えてなり、
前記第１表示領域外導電部には、該第１表示領域外導電部の表示状態を常にオン状態とするような第１電圧が印加され、
前記第２表示領域外導電部には、一水平走査期間の中間点でその極性が反転する第２電圧が印加され、
前記周辺領域は、白色表示又は黒色表示がなされていることを特徴とする電気光学装置。
【請求項４】
前記第２表示領域外導電部には、前記第２電圧に代えて、
一水平走査期間の中間点でその極性が反転する電圧であって、
前記一水平走査期間の開始時から所定の期間及び前記一水平走査期間の終了時から遡る所定の期間の少なくとも一方において、前記極性が反転する電圧の中間の電圧となる第３電圧が印加されることを特徴とする請求項３に記載の電気光学装置。
【請求項５】
前記第２表示領域外導電部には、前記第２電圧に代えて、
二水平走査期間以上の期間にわたって該第２表示領域外導電部の表示状態がオン状態となるような第４電圧が印加されることを特徴とする請求項３に記載の電気光学装置。
【請求項６】
前記第１電圧と、前記第２電圧、前記第３電圧又は前記第４電圧とは、同じ最大値及び最小値を有することを特徴とする請求項３乃至５のいずれか一項に記載の電気光学装置。
【請求項７】
前記第１導電部は、第１基板上にストライプ状に形成されたデータ電極を含み、
前記第２導電部は、第２基板上にストライプ状に形成された走査電極を含み、
前記画素部は、前記データ電極及び前記走査電極間に挟持された液晶を含むことを特徴とする請求項１乃至６のいずれか一項に記載の電気光学装置。
【請求項８】
当該電気光学装置はノーマリブラックモードで駆動され、
前記周辺領域は白色表示されることを特徴とする請求項７に記載の電気光学装置。
【請求項９】
一方の方向に延在する第１導電部と、該一方の方向に交差する方向に延在する第２導電部と、該第１導電部及び該第２導電部の交差領域に対応して設けられる画素部とからなる画像表示領域を備えた電気光学装置の駆動方法であって、
前記画像表示領域外の周辺領域に前記第１導電部に沿って設けられた第１表示領域外導電部に対して、該第１表示領域外導電部の表示状態を常にオン状態とするような電圧を印加するステップと、
該ステップの実施中に、
前記周辺領域に前記第２導電部に沿って設けられた第２表示領域外導電部に対して、一水平走査期間の開始点ではプラス極性及びマイナス極性のいずれか一方の電圧を印加するステップと、
前記一水平走査期間の中間点で前記プラス極性及びマイナス極性のいずれか他方の電圧を印加するステップと
を含むことを特徴とする電気光学装置の駆動方法。
【請求項１０】
前記いずれか一方の電圧を印加するステップの前に、前記一水平走査期間の開始時から所定の期間、前記プラス極性及びマイナス極性の中間電圧を印加するステップを更に含むことを特徴とする請求項９に記載の電気光学装置の駆動方法。
【請求項１１】
前記いずれか他方の電圧を印加するステップの後に、前記一水平走査期間の終了時から遡る所定の期間、前記プラス極性及びマイナス極性の中間電圧を印加するステップを更に含むことを特徴とする請求項９又は１０に記載の電気光学装置の駆動方法。
【請求項１２】
一方の方向に延在する第１導電部と、該一方の方向に交差する方向に延在する第２導電部と、該第１導電部及び該第２導電部の交差領域に対応して設けられる画素部とからなる画像表示領域を備えた電気光学装置の駆動方法であって、
前記画像表示領域外の周辺領域に前記第１導電部に沿って設けられた第１表示領域外導電部に対して、該第１表示領域外導電部の表示状態を常にオン状態とするような電圧を印加するステップと、
該ステップの実施中に、
前記周辺領域に前記第２導電部に沿って設けられた第２表示領域外導電部に対して、二水平走査期間以上の期間にわたって電圧を印加するステップと
を含むことを特徴とする電気光学装置の駆動方法。
【請求項１３】
請求項１乃至８のいずれか一項に記載の電気光学装置を具備してなることを特徴とする電子機器。
【発明の詳細な説明】
【０００１】
【発明の属する技術分野】
本発明は、電気光学装置及びその駆動方法並びに電子機器の技術分野に属し、特に、ストライプ状の電極を列設した基板を液晶等の電気光学物質を介して二枚重ね合わせることで、画像を表示することの可能な液晶装置等の電気光学装置及びその駆動方法、並びに、そのような電気光学装置を具備してなる電子機器の技術分野に属する。
【０００２】
【背景技術】
近年、液晶等の電気光学物質の電気光学的変化を利用して、画像を表示することの可能な電気光学装置が、各種の電子機器やテレビなどに広く用いられている。これによれば、従来の陰極線管（ＣＲＴ）を用いたテレビ等では達成し得なかった、薄型化、小型化、低消費電力化等といった数多くの特徴を享受することができる。
【０００３】
このような電気光学装置には、既に数多くの形態となるものが提案されているが、その多くは適当な基準により分類することができる。例えば、駆動方式等による分類が一般的になされ、具体的には、スイッチング素子により画素を駆動するアクティブ・マトリクス型と、スイッチング素子を用いないで画素を駆動するパッシブ・マトリクス型とに大別することができる。このうち、後者のパッシブ・マトリクス型の電気光学装置は、一の方向に沿って延在するセグメント電極としての複数のデータ電極、これに交差する他の方向に沿って延在するコモン電極としての走査電極、並びに該データ電極及び該走査電極間に挟持された液晶等の電気光学物質（以下、「液晶」に代表させる。）を備えている。これにより、例えば、液晶を誘電体とし、データ電極及び走査電極を一対の電極とする、コンデンサ、すなわち液晶容量が構成されることになる。
【０００４】
【発明が解決しようとする課題】
しかしながら、従来における電気光学装置においては次のような問題があった。すなわち、上述の電気光学装置では、前記走査電極及びデータ電極等が構成されている部位をもって、画像表示領域が規定されるが、この画像表示領域の際（きわ）において、何らかの画像又は文字等を表示すると、これらを画像として認識しにくい、又は、文字として読みにくいという事態が発生していたのである。これは、画像表示領域の外に位置する何ら表示に寄与することのない周辺領域と、前記画像又は文字等とが同じような階調で重なり合うことによる。
【０００５】
より具体的には、ノーマリブラックモードでは、前記周辺領域は通常黒色となっているため、前記画像又は文字等を、黒色、あるいはこれに近い階調で表現した場合には、当該画像又は文字等の端が前記周辺領域にかかることによって、それらの認識が困難となるということになる。逆に、ノーマリホワイトモードであって、前記画像又は文字等を白色、あるいはこれに近い階調で表現する場合においても、同様な問題が生じる。
【０００６】
なお、上述では、液晶を備える電気光学装置を例として説明したが、このような問題は、あらゆる電気光学装置において広く共通に認識されるものと考えられる。
【０００７】
本発明は、上記問題点に鑑みてなされたものであり、画像表示領域の際で画像又は文字等を表示する場合であっても、その認識を容易になしえ、もって高品質な画像を表示することの可能な電気光学装置及びその駆動方法並びに電子機器を提供することを課題とする。
【０００８】
【課題を解決するための手段】
本発明の第１の電気光学装置は、上記課題を解決するため、一方の方向に延在する第１導電部と、該一方の方向に交差する方向に延在する第２導電部と、該第１導電部及び該第２導電部の交差領域に対応して設けられる画素部とからなる画像表示領域を備えた電気光学装置であって、前記画像表示領域外に位置する周辺領域は、当該画像表示領域内に表示される画像の階調とは異なる階調の表示がなされている。
【０００９】
本発明の第１の電気光学装置によれば、第１導電部及び第２導電部の交差領域に対応して設けられる画素部を駆動することによって、画像を表示することが可能となる。ここで、第１導電部及び第２導電部とは、例えばいわゆるデータ電極（セグメント電極）及び走査電極（コモン電極）等を想定することができ、画素部とは、例えば、データ電極及び走査電極の各一部と、これらの間に挟持された液晶等からなるものを想定することが可能である。これによれば、走査電極及びデータ電極を所定の電位とすることによって、液晶に所定の電界を印加することが可能となる。そして、その結果、液晶分子の配向状態等が変化することで、画素毎の光の透過率が変化することになり、画像を表示することが可能となるのである。
【００１０】
ここで本発明では特に、前記画像表示領域外の周辺領域は、当該画像表示領域内に表示される画像の階調とは異なる階調の表示がなされている。例えば、上述のような液晶装置が、ノーマリブラックモードで駆動される場合においては、通常、画像表示領域内に表示される画像又は文字等は黒色で表示されることになるが、このとき、前記周辺領域を、例えば白色表示としておくのである。このようにすれば、画像表示領域の際において表示されるべき画像又は文字等が、周辺領域に一部かかるような形になったとしても、当該画像又は文字等の認識が困難になるということがなく、これを極めて容易に行うことができる。
【００１１】
なお、本発明にいう「画像」には、線や図形等に限らず、前記文字や、あるいは記号等あらゆる象形を含む。そして、このような画像の「階調とは異なる階調」とは、例えば、ある図形が黒色で表示されている場合において、その黒色以外の階調という意味である。好ましくは、該画像の階調とは可能な限り離れた階調、より好ましくは、対極に位置する階調であるとよい。後者の場合では、黒色に対する白色、又は、白色に対する黒色などということになる。
【００１２】
また、本発明にいう「第１導電部」及び「第２導電部」とは、上記の例示に限定されるものではない。例えば、第１導電部及び第２導電部が、いわゆる走査線及びデータ線であって、かつ、いずれか一方には、スイッチング素子としての薄膜ダイオード（ＴＦＤ）を介して画素電極が接続された形態としてもよいし、また、前記スイッチング素子として、薄膜トランジスタ（ＴＦＴ）を備えた形態としてもよい。これらによれば、いわゆるアクティブマトリクス駆動が可能となるのは周知である。
【００１３】
また、本発明は、前記画素部に液晶を備えるもののみに限定されるものではない。例えば、適当なバインダ内に分散された粉末ＥＬ（エレクトロ・ルミネッセンス）、あるいは無機又は有機ＥＬ等を挙げることもできる。この場合においては、第１導電部及び第２導電部に対する通電と、前記ＴＦＴ等のスイッチング素子によるスイッチング動作とを併せ実行することによって、該ＥＬに対して所定の電界を印加することが可能となる。これにより、該ＥＬはそれ自身が発光することで、画像が表示されるというメカニズムとなる。
【００１４】
本発明の第１の電気光学装置の一態様では、上記課題を解決するために、前記周辺領域には、前記第１導電部に沿って設けられた第１表示領域外導電部と、前記第２導電部に沿って設けられた第２表示領域外導電部とが形成されており、前記異なる階調の表示は、前記第１表示領域外導電部及び前記第２表示領域外導電部それぞれに対して所定波形の電圧を印加することによって実現される。
【００１５】
この態様によれば、第１表示領域外導電部と、前記第２導電部及び前記第２表示領域外導電部とは交差することになり、これらによって挟持される空間に所定の電界を印加することが可能である。したがって、この空間に例えば前記の液晶が配置されているのであれば、前記所定の電界によって、液晶分子の配向状態を適当に設定することが可能となり、前記異なる階調の表示が可能となるのである。これは、第２表示領域外導電部と、前記第１導電部及び前記第１表示領域外導電部とについても全く同様である。
【００１６】
このように、本態様によれば、画像表示領域内に表示される画像の階調とは異なる階調の表示を、より容易に且つ確実に行うことができる。
【００１７】
なお、本態様にいう「所定の電圧」とは、例えば後述する第１電圧及び第２電圧が有する性質をもつような電圧であれば好適であるが、本発明は、そのような形態に限定されるものではなく、その他、種々の形態を考えることができる。
【００１８】
本発明の第２の電気光学装置は、上記課題を解決するために、一方の方向に延在する第１導電部と、該一方の方向に交差する方向に延在する第２導電部と、該第１導電部及び該第２導電部の交差領域に対応して設けられる画素部とからなる画像表示領域を備えた電気光学装置であって、前記画像表示領域外の周辺領域に、前記第１導電部に沿って設けられる第１表示領域外導電部と、前記周辺領域に、前記第２導電部に沿って設けられる第２表示領域外導電部とを備えてなり、前記第１表示領域外導電部には、該第１表示領域外導電部の表示状態を常にオン状態とするような第１電圧が印加され、前記第２表示領域外導電部には、一水平走査期間の中間点でその極性が反転する第２電圧が印加され、前記周辺領域は、白色表示又は黒色表示がなされている。
【００１９】
本発明の第２の電気光学装置によれば、まず、第１導電部及び第２導電部を所定の電位とすることによって画像を表示することが可能なことは、前記の本発明の第１の電気光学装置と全く同様である。
【００２０】
ここで、本発明においては特に、前記周辺領域に第１及び第２表示領域外導電部が設けられている。なお、以下では、便宜上、第１導電部及び第２導電部として、それぞれデータ電極及び走査電極が該当し、これらの間に液晶が挟持されているという例を前提として、説明を行うこととする。
【００２１】
まず、第１表示領域外導電部は、前記第１導電部、すなわちデータ電極に沿って設けられている。これは、第１表示領域外導電部が、走査電極たる第２導電部と交差するように配列されていることを意味する。そして、この第１表示領域外導電部には、この第１表示領域外導電部の表示状態を常にオン状態とするような第１電圧がかけられている。ここで「オン状態」というのは、例えば、本発明に係る電気光学装置が極性反転駆動される場合において、それに応じて、プラス極性又はマイナス極性（後述参照）いずれかの電圧の印加がなされることを意味している。このように、第１表示領域外導電部の表示状態が常にオン状態とされていれば、第１表示領域外導電部と交差する如何なる走査電極が選択されたとしても、この第１表示領域外導電部に対応する画素部の表示状態は常にオン状態とされることになる。つまり、当該画素部では、常に、白色表示又は黒色表示をなすことが可能となるのである。
【００２２】
他方、第２表示領域外導電部は、第２導電部、すなわち走査電極の配列に沿って設けられている。これは、第２表示領域外導電部が、データ電極たる第１導電部と交差するように配列されていることを意味する。そして、この第２表示領域外導電部には、一水平走査期間の中間点でその極性が反転する第２電圧が印加される。ここで、「一水平走査期間」とは、前記走査電極の１本又は数本が同時に、選択されている期間を意味する。また、「極性が反転する」というのは、一般に、適当な電圧Ｖｍ（「Ｖｍ＝０」を勿論含む。）を基準に、（Ｖｍ＋Ｖｃ）ボルト（以下、「プラス極性」ともいう。）から（Ｖｍ−Ｖｃ）ボルト（以下、「マイナス極性」ともいう。）へ、又はその逆へ、という反転を意味する。なお、上述のデータ電極の反転の場合には、例えば、プラス極性が（Ｖｍ＋Ｖｓ）ボルト、マイナス極性が（Ｖｍ−Ｖｓ）ボルトということになり、一般に、基準電圧Ｖｍが同じで、Ｖｃ＝Ｖｓ又はＶｃ≠Ｖｓなる電圧のいずれについても使われ得る。
【００２３】
このように、第２表示領域外導電部に、一水平走査期間の中間点でその極性が反転する第２電圧が印加される形態によれば、該第２表示領域外導電部と交差するデータ電極にどのような電圧が印加されたとしても、第２表示領域外導電部に対応する画素部の表示状態は常にオン状態とされていることになる。例えば、この第２表示領域外導電部は、前記の第１表示領域外導電部とも交差しているが、この第１表示領域外導電部の表示状態は上述したように常にオン状態とされている。いま、この「オン状態」というのがプラス極性たるＶｍ＋Ｖｓであるとすれば、例えば、一水平走査期間の前半では、この（Ｖｍ＋Ｖｓ）と前述の（Ｖｍ−Ｖｃ）との差（Ｖｓ＋Ｖｃ）が液晶にかかることとなり、後半では、（Ｖｍ＋Ｖｓ）と（Ｖｍ＋Ｖｃ）との差（Ｖｓ−Ｖｃ）が液晶にかかることになる。ここで更に、Ｖｓ＝Ｖｃと仮定すれば、後半部分では、液晶には全く電圧がかからなくなるが、前半部分ではＶｓ＋Ｖｃ＝２Ｖｓ＝２Ｖｃなる電圧がかかることになる。したがって、Ｖｓ又はＶｃを適当に設定すれば、当該液晶にかかる実効電圧値を十分に稼ぐことが可能となり、当該画素部において、白色表示又は黒色表示を行うことが可能となる。
【００２４】
そして、このような事象は、第１表示領域外導電部と同様に配列されているデータ電極についても全く同様に生じる。この場合、データ電極には、被選択の走査電極に向けて所定のデータ電圧を印加するために、時々刻々と種々のレベルの電圧が印加されることになるが、上述したように第２表示領域外導電部に一水平走査期間の前半と後半とで極性が反転する電圧が印加されることで、必ず、当該一水平走査期間内の実効電圧値を所定値以上、すなわち白色又は黒色表示可能な以上の実効電圧値を液晶に与えることが可能となるのである。
【００２５】
以上の結果、要するに、本発明によれば、周辺領域内の第１表示領域外導電部及び第２表示領域外導電部が形成されている部分においては、常に、白色表示又は黒色表示が行われることになる。したがって、画像表示領域に表示される画像又は文字等が黒色又は白色等で表示されても、これらと周辺領域との境界が定かでなく、該画像又は文字等が認識しにくいという事態を回避することが可能であり、より高品質な画像を表示することが可能となる。
【００２６】
また、本発明によれば、データ電極駆動回路や走査電極駆動回路等の構成について、特に手を入れることなく、周辺領域の白色表示又は黒色表示を実施することが可能であるから、極めて安価に目的を達成することが可能となる。
【００２７】
なお、本態様にいう「一水平走査期間の中間点」とは、厳密な意味における「中間点」という意味を含むほか、いわば「一水平走査期間の実質的に中間点」という場合をも含む。すなわち、一水平走査期間の開始点から厳密な意味における中間点までの時間をＨＦとし、当該中間点から終了点までの時間をＨＲとすれば、ＨＦ＝ＨＲという場合があり得るほか、ＨＦ＋δｈあるいはＨＲ−δｈ（ただし、δｈは比較的微小な時間）が「中間点」である場合とか、ＨＦ−δｈあるいはＨＲ＋δｈが「中間点」である場合もあり得る。このような場合であっても、δｈが、極端に大きな値をとらない限り、上述したような作用効果は同様に奏されるからである。
【００２８】
本発明の第２の電気光学装置の一態様では、前記第２表示領域外導電部には、前記第２電圧に代えて、一水平走査期間の中間点でその極性が反転する電圧であって、前記一水平走査期間の開始時から所定の期間及び前記一水平走査期間の終了時から遡る所定の期間の少なくとも一方において、前記極性が反転する電圧の中間の電圧となる第３電圧が印加される。
【００２９】
この態様によれば、第２表示領域外導電部には、前述の第２電圧と同様に、一水平走査期間の中間点でその極性が反転する電圧がかかることは同様である。したがって、この点に関する上述した作用効果は略同様に奏されることとなる。
【００３０】
ここで本態様では特に、一水平走査期間の開始時から所定の期間及び一水平走査期間の終了時から遡る所定の期間の少なくとも一方において、前記極性が反転する電圧の中間の電圧が印加される。すなわち、本態様によれば、この所定の期間の長さ如何によって、液晶にかかる実効電圧値の調整を行うことが可能となるのである。例えば、上述の第２電圧を用いるのでは、液晶に余りに過剰な実効電圧がかかるという場合には、前記所定の期間をできるだけ長期化するなどの措置をとればよい。
【００３１】
また、本態様によれば、周辺領域を白色表示又は黒色表示にするのではなくて、これらの間の中間調の表示を行うことが可能となる。例えば、濃い灰色表示としたり、淡い灰色表示としたりする等ということである。これも、液晶にかかる実効電圧値を調整可能であることによるに他ならない。これにより、本態様に係る電気光学装置の使用環境等に応じて、最も好適な周辺領域における表示を行うことも可能となる。
【００３２】
なお、本態様にいう「一水平走査期間の中間点」というのも、既に述べたとおりの意義を有する。
【００３３】
本発明の第２の電気光学装置の他の態様では、前記第２表示領域外導電部には、前記第２電圧に代えて、二水平走査期間以上の期間にわたって該第２表示領域外導電部の表示状態がオン状態となるような第４電圧が印加される。
【００３４】
この態様によれば、第２表示領域外導電部には、二水平走査期間以上の長期にわたって電圧が印加される。すなわち、この場合においては、液晶に対する電圧印加時間を長くとることによって、それにかかる実効電圧値を稼ぐことが可能となる。
【００３５】
したがって、このような場合においても、周辺領域において白色表示又は黒色表示を行うことが可能となる。
【００３６】
なお、本態様では、三水平走査期間、あるいは四水平走査期間というように、三つ以上の水平走査期間にわたって電圧を印加する形態としてもよいが、あまりに長期にわたって液晶に電圧を印加することは適当でないので、最も好ましくは、二水平走査期間程度とするのがよい。
【００３７】
本発明の第２の電気光学装置の他の態様では、前記第１電圧と、前記第２電圧、前記第３電圧又は前記第４電圧とは、同じ最大値及び最小値を有する。
【００３８】
この態様によれば、例えば、上述したように、第１電圧におけるプラス極性及びマイナス極性の電圧値が（Ｖｍ＋Ｖｓ）及び（Ｖｍ−Ｖｓ）で、第２電圧におけるそれが（Ｖｍ＋Ｖｃ）及び（Ｖｍ−Ｖｃ）であるとすれば、Ｖｓ＝Ｖｃということである。このようにすれば、扱う電圧、あるいは電源の数を増加させることがないから、低コスト化を図ることができる。
【００３９】
本発明の第１又は第２の電気光学装置の他の態様では、前記第１導電部は、第１基板上にストライプ状に形成されたデータ電極を含み、前記第２導電部は、第２基板上にストライプ状に形成された走査電極を含み、前記画素部は、前記データ電極及び前記走査電極間に挟持された液晶を含む。
【００４０】
この態様によれば、いわゆるパッシブ・マトリクス駆動が可能となる。すなわち、走査電極及びデータ電極を、それぞれ所定の電位とすることによって、これらの間に挟持された液晶に適当な電界を印加することが可能となり、液晶分子の配向状態等を変化させ、光の透過率を変化させることによって、画像を表示することが可能となるのである。
【００４１】
そして、本発明に係る構成は、本態様に係るパッシブ・マトリクス駆動が可能な構成を採る電気光学装置に対して、最も好適に適用することが可能である。
【００４２】
この態様では特に、当該電気光学装置はノーマリブラックモードで駆動され、前記周辺領域は白色表示されるようにするとよい。
【００４３】
このような構成によれば、ノーマリブラックモードで駆動される電気光学装置においては、前記周辺領域は通常黒色で表示されるから、画像表示領域において表示される文字又は画像等を黒色で表示する場合において、当該周辺領域を白色表示すれば、本発明に係る作用効果を最大限に享受しうる。
【００４４】
本発明の電気光学装置の駆動方法は、上記課題を解決するために、一方の方向に延在する第１導電部と、該一方の方向に交差する方向に延在する第２導電部と、該第１導電部及び該第２導電部の交差領域に対応して設けられる画素部とからなる画像表示領域を備えた電気光学装置の駆動方法であって、前記画像表示領域外の周辺領域に前記第１導電部に沿って設けられた第１表示領域外導電部に対して、該第１表示領域外導電部の表示状態を常にオン状態とするような電圧を印加するステップと、該ステップの実施中に、前記周辺領域に前記第２導電部に沿って設けられた第２表示領域外導電部に対して、一水平走査期間の開始点ではプラス極性及びマイナス極性のいずれか一方の電圧を印加するステップと、前記一水平走査期間の中間点で前記プラス極性及びマイナス極性のいずれか他方の電圧を印加するステップとを含む。
【００４５】
本発明の電気光学装置の駆動方法によれば、上述の本発明の第２の電気光学装置を好適に運用することが可能であるとともに、該第２の電気光学装置により奏された作用効果と同様な作用効果を享受することができる。すなわち、本発明に係る駆動方法によれば、周辺領域においては、常に、白色表示又は黒色表示が行われることにより、画像表示領域に表示される画像又は文字等が黒色又は白色等で表示されたとしても、これらと周辺領域との境界が定かではなく、該画像又は文字等が認識しにくいという事態を回避することが可能となる。
【００４６】
なお、上記にいうプラス極性及びマイナス極性というのは、既に述べたとおりの意義を有する。
【００４７】
また、本発明にいう「一水平走査期間の中間点」とは、厳密な意味における「中間点」という意味を含むほか、いわば「一水平走査期間の実質的に中間点」という場合をも含む。すなわち、一水平走査期間の開始点から厳密な意味における中間点までの時間をＨＦとし、当該中間点から終了点までの時間をＨＲとすれば、ＨＦ＝ＨＲという場合があり得るほか、ＨＦ＋δｈあるいはＨＲ−δｈ（ただし、δｈは比較的微小な時間）が「中間点」である場合とか、ＨＦ−δｈあるいはＨＲ＋δｈが「中間点」である場合もあり得る。このような場合であっても、δｈが、極端に大きな値をとらない限り、上述したような作用効果は同様に奏されるからである。
【００４８】
本発明の電気光学装置の駆動方法の一態様では、前記いずれか一方の電圧を印加するステップの前に、前記一水平走査期間の開始時から所定の期間、前記プラス極性及びマイナス極性の中間電圧を印加するステップを更に含む。
【００４９】
この態様によれば、第２表示領域外導電部に対して、一水平走査期間の開始時から所定の期間、プラス極性及びマイナス極性の中間電圧を印加するステップを含むことから、該第２表示領域外導電部に対応する液晶等に印加される実効電圧値を調整することが可能となる。これにより、液晶にかかる電圧が大きすぎるなどの場合に、適当な調整を行うことが可能となる。また、本態様によれば、周辺領域を白色表示又は黒色表示にするのではなくて、これらの間の中間調の表示を行うことが可能となる。例えば、濃い灰色表示としたり、淡い灰色表示としたりする等ということである。これも、液晶にかかる実効電圧値を調整可能であることによるに他ならない。これにより、本態様に係る電気光学装置の使用環境等に応じて、最も好適な周辺領域における表示を行うことも可能となる。
【００５０】
そして、本発明の電気光学装置の駆動方法の他の態様では、前記いずれか他方の電圧を印加するステップの後に、前記一水平走査期間の終了時から遡る所定の期間、前記プラス極性及びマイナス極性の中間電圧を印加するステップを更に含む。
【００５１】
この態様に加え、前述の一水平走査期間の開始時から所定の期間、中間電圧を印加する態様とを併せて実現するような態様とすれば、上述にも増して、液晶にかかる実効電圧値の調整を、よりきめ細かに実施することができる。
【００５２】
ただし、本発明は、一水平走査期間の開始時及び終了時のいずれにおいても前記中間電圧を印加する態様を採ってよいことは勿論、いずれか一方のみにおいて前記中間電圧を印加する態様としてよい。
【００５３】
本発明の第２の電気光学装置の駆動方法は、上記課題を解決するために、一方の方向に延在する第１導電部と、該一方の方向に交差する方向に延在する第２導電部と、該第１導電部及び該第２導電部の交差領域に対応して設けられる画素部とからなる画像表示領域を備えた電気光学装置の駆動方法であって、前記画像表示領域外の周辺領域に前記第１導電部に沿って設けられた第１表示領域外導電部に対して、該第１表示領域外導電部の表示状態を常にオン状態とするような電圧を印加するステップと、該ステップの実施中に、前記周辺領域に前記第２導電部に沿って設けられた第２表示領域外導電部に対して、二水平走査期間以上の期間にわたって電圧を印加するステップを含む。
【００５４】
本発明の第２の電気光学装置の駆動方法によれば、上述の本発明の第２の電気光学装置の一つの変形態様を好適に運用することが可能であるとともに、該変形態様により奏された作用効果と同様な作用効果を享受することができる。すなわち、本発明によれば、第２表示領域外導電部に対して、二水平走査期間以上にわたる電圧を印加することにより、液晶にかかる実効電圧値を稼ぐことが可能となり、周辺領域における白色表示又は黒色表示をより容易に実現することが可能となる。
【００５５】
本発明の電子機器は、上記課題を解決するために、上述した本発明の第１又は第２の電気光学装置（但し、その各種態様を含む。）を具備してなる。
【００５６】
本発明の電子機器によれば、上述の本発明の第１又は第２の電気光学装置を具備してなるから、周辺領域において、画像表示領域に表示される画像又は文字等の階調とは異なる階調の表示、あるいは白色表示又は黒色表示が行われることにより、該画像又は文字等が周辺領域と重なり合うことによって、これらが認識しにくいという事態を招くことのない、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００５７】
本発明のこのような作用及び他の利得は次に説明する実施の形態から明らかにされる。
【００５８】
【発明の実施の形態】
以下では、本発明の実施の形態について図を参照しつつ説明する。以下の実施形態は、本発明の電気光学装置を液晶装置に適用したものである。
【００５９】
＜第１実施形態＞
最初に、本発明の第１実施形態に係る電気光学装置の概要について、図１乃至図４を参照しながら説明する。なお、以下では、第１実施形態に係る電気光学装置の概要を、その電気的構成及び機械的構成に分けた上で説明する。
【００６０】
＜電気的構成＞
まず、第１実施形態に係る電気光学装置の電気的構成について、図１を参照しながら説明する。ここに図１は、第１実施形態に係る電気光学装置の電気的構成を示す説明図である。
【００６１】
図１において、電気光学装置は、複数のデータ電極（セグメント電極）２１２が列（Ｙ）方向に延在して形成される一方、複数の走査電極（コモン電極）３１２が行（Ｘ）方向に延在して形成されている。これらデータ電極２１２及び走査電極３１２間には電気光学物質の一例たる液晶が挟持されており、データ電極２１２及び走査電極３１２の各一部を一対の電極、前記液晶１１８を誘電体とする画素部１１６が構成されている。なお、第１実施形態においては、走査電極３１２の数及びデータ電極２１２の数を、それぞれ一般に、ｍ本及びｎ本あるものとする。
【００６２】
そして第１実施形態においては特に、図１に示すように、走査電極３１２が配列されてなるＸ方向に沿い、かつ、１行目及びｍ行目の走査電極３１２のそれぞれ外側（図１でいえば、図中上側及び下側）に位置するように、Ｘ方向ダミー電極（第２表示領域外導電部）３９０が２本ずつ設けられている。また、データ電極２１２が配列されてなるＹ方向に沿い、かつ、１列目及びｎ列目のデータ電極２１２のそれぞれ外側（図１でいえば、図中左側及び右側）に位置するように、Ｙ方向ダミー電極（第１表示領域外導電部）２９０が２本ずつ設けられている。これにより、第１実施形態では、Ｘ方向ダミー電極３９０と、データ電極２１２及びＹ方向ダミー電極２９０との交差領域、並びに、Ｙ方向ダミー電極２９０と、走査電極３１２及びＸ方向ダミー電極３９０との交差領域には、それぞれ、液晶１１８Ｄが挟持され、画素部１１６Ｄが構成されることになる。
【００６３】
なお、ここで「ダミー」というのは、これらダミー電極２９０及び３９０は、画像表示には直接には寄与しないということの意である。つまり、第１実施形態において、画像表示に寄与することとなるのは、１〜ｍ行目までの走査電極３１２、及び、１〜ｎ列目までのデータ電極２１２である。また、これにより、第１実施形態に係る「画像表示領域」は、これら１〜ｍ行目の走査電極３１２及び１〜ｎ列目のデータ電極２１２並びにこれらの交差に対応する液晶１１８を含む画素部１１６によって規定される（図１中符号ＤＡＲ参照）。一方、「周辺領域」とは、このように規定された画像表示領域ＤＡＲ外の領域を指すことになる。なお、この定義より明らかなように、Ｘ方向ダミー電極３９０及びＹ方向ダミー電極２９０、並びに、これらにより挟持される液晶１１８Ｄあるいは画素部１１６Ｄは、それぞれ、周辺領域に形成されていることになる。
【００６４】
さて、前記走査電極３１２には、走査電極駆動回路３５０が接続されており、これにより走査電極３１２の各々に対しては、走査信号が供給される。より具体的には、走査電極駆動回路３５０は、複数の走査電極３１２一本一本を、後述するような順序で「選択」する作用を担い、選択された走査電極３１２に対しては選択電圧が、そうでない走査電極３１２に対しては非選択電圧が、それぞれ供給されることになる。また、前記データ電極２１２には、データ電極駆動回路２５０が接続されており、これによりデータ電極２１２の各々に対しては、データ信号が供給される。
【００６５】
ここで、前述したＸ方向ダミー電極３９０及びＹ方向ダミー電極２９０は、これら走査電極駆動回路３５０及びデータ電極駆動回路２５０には接続されておらず、通常の走査電極３１２及びデータ電極２１２とは、別の信号供給を受けるようになっている。
【００６６】
より具体的には、Ｘ方向ダミー電極３９０及びＹ方向ダミー電極２９０には、図１に示すように、ダミー電極駆動回路９００が接続されている。そして、このダミー電極駆動回路９００は、図２に示すような構成を備えている。この図２において、ダミー電極駆動回路９００は、フリップフロップＤＦＦ１及びＤＦＦ２、カウンタＣＴ及びアナログスイッチＡＳ１及びＡＳ２から構成されている。フリップフロップＤＦＦ１には、入力Ｄとして極性反転信号ＦＲが供給され、入力ＣＫとしてクロック信号ＨＣＫが供給されている（これらの信号ＦＲ及びＨＣＫは後述する制御回路４００から出力される。）。一方、出力Ｑは、アナログスイッチＡＳ１に供給されている。アナログスイッチＡＳ１では、この出力Ｑの値に応じ、出力電圧＋Ｖ１及び−Ｖ１のいずれか一方を、Ｙ方向ダミー電極２９０に対して供給する。
【００６７】
なお、ここで「＋Ｖ１」及び「−Ｖ１」というのは、それぞれ、「プラス極性」及び「マイナス極性」を表しており、上述した記述方法に合わせれば、＋Ｖ１＝Ｖｍ＋Ｖｑ及び−Ｖ１＝Ｖｍ−Ｖｑで、Ｖｍ＝０、Ｖｑ＝Ｖ１ということである。このように、第１実施形態では、全体的に（すなわち、後述するデータ電圧等についても）、基準となる中間電圧を０〔Ｖ〕としているが、本発明は、このような形態に限定されるわけではなく、一般に、Ｖｍ≠０なる場合における極性反転を行うようにしてよい。
【００６８】
他方、カウンタＣＴには、クロック信号ＨＣＫとクロック信号ＳＣＫとが供給されている（この信号ＳＣＫは後述する制御回路４００から出力される。）。このカウンタＣＴは、クロック信号ＨＣＫを起点としてクロック信号ＳＣＫを所定数カウントし、そのカウント結果に応じてカウント信号ＣＫ１を出力する。そして、このカウンタ信号ＣＫ１は、フリップフロップＤＦＦ２の入力ＣＫとして供給されている。また、フリップフロップＤＦＦ２では、その入力Ｄとしては、自身の出力／Ｑが供給されるようになっている（すなわち、このフリップフロップＤＦＦ２は、Ｔ−フリップフロップとして機能する。）。そして、その出力Ｑは、アナログスイッチＡＳ２に供給されている。アナログスイッチＡＳ２では、この出力Ｑの値に応じて、出力電圧＋Ｖ１及び−Ｖ１のいずれか一方を、Ｘ方向ダミー電極３９０に対して供給する。すなわち、第１実施形態においては、Ｘ方向ダミー電極３９０に対して供給される電圧値と、Ｙ方向ダミー電極２９０に対して供給される電圧値とは同じとされている。
【００６９】
一方、図１に戻り、制御回路４００は、階調データや各種制御信号、前述の極性反転信号ＦＲ、クロック信号ＨＣＫ及びＳＣＫなどを供給して、前記データ電極駆動回路２５０及び走査電極駆動回路３５０並びにダミー電極駆動回路９００等を制御するものである。ちなみに、第１実施形態において特に関係のある信号は、既に触れたクロック信号ＨＣＫ及びＳＣＫ、並びに極性反転信号ＦＲである。ここに、クロック信号ＨＣＫは、走査電極３１２の１本ずつ又は数本ずつの選択を制御するための信号であって、一水平走査期間（１Ｈ）を規定する。また、クロック信号ＳＣＫは、一水平走査期間内における、データ電極２１２の１本ずつに対するデータ信号の転送を制御するための信号である。また、極性反転信号ＦＲは、走査電極３１２を選択するための選択電圧の極性をプラス及びマイナスのいずれにするか、あるいはデータ電極２１２に印加するデータ信号の極性をプラス及びマイナスのいずれにするかを決める信号である。これらの信号のより具体的な使われ方については、後に改めて触れる。
【００７０】
また、駆動電圧形成回路５００は、電圧＋Ｖ１、−Ｖ１、＋Ｖ２及び−Ｖ２を生成する。このうち電圧＋Ｖ１及び−Ｖ１は、第１実施形態において、上述したように、Ｘ方向ダミー電極３９０及びＹ方向ダミー電極２９０に供給される電圧として使用される他、データ電極２１２に対して供給されるデータ電圧としても使用される。また、電圧＋Ｖ２及び−Ｖ２は、走査電極３１２に対して供給される走査信号としての選択電圧として使用される。
【００７１】
＜機械的構成＞
次に、第１実施形態に係る電気光学装置の機械的な構成について、図３及び図４を参照しながら説明する。ここに図３は、電気光学装置の全体構成を示す斜視図であり、図４は、この電気光学装置をＸ方向に沿って破断した場合の構成を示す部分断面図である。
【００７２】
これらの図に示されるように、電気光学装置は、観察者側に位置する第１基板３００と、その背面側に位置する第２基板２００とが、スペーサを兼ねる導電性粒子（導通材）１１４の混入されたシール材１１０によって、一定の間隔を保って貼り合わせられるとともに、この間隙に例えばＴＮ（Ｔｗｉｓｔｅｄ　Ｎｅｍａｔｉｃ）型、ＳＴＮ（Ｓｕｐｅｒ　Ｔｗｉｓｔｅｄ　Ｎｅｍａｔｉｃ）型等の液晶１１８が封入された構成となっている。なお、シール材１１０は、図３に示すように、第１基板３００の内周縁に沿って枠状に形成されるが、その一部には、液晶１１８を封入するための開口部１１２が形成されている。この開口部１１２は、液晶１１８の封入後には、封止材によって封止される。また、図３からわかるように、第２基板２００の外形形状は、第１基板３００のそれよりも若干大きめに形成されており、両者が貼り合わされた状態では、前者が後者より、いわば「張り出す」ような形となる。
【００７３】
第１基板３００の、液晶１１８に対向する側の面（以下、「対向面」という。）には、行方向に延在して形成される走査電極３１２及びＸ方向ダミー電極３９０のほか、所定の方向にラビング処理が施された配向膜３０８が形成されている。ここで、第１基板３００に形成された走査電極３１２及びＸ方向ダミー電極３９０は、図４に示すように、第２基板２００に形成された配線３４２の一端に、シール材１１０に分散された導電性粒子１１４を介して接続されている。すなわち、第１基板３００に形成された走査電極３１２は、導電性粒子１１４及び配線３４２を介して、第２基板２００側に引き出された構成となっている。一方、第１基板３００の外側（観察側）には、偏光子１３１が貼り付けられて、その吸収軸が、配向膜３０８へのラビング処理の方向に対応して設定されている。
【００７４】
また、第２基板２００の対向面には、Ｙ方向に延在して形成されるデータ電極２１２及びＹ方向ダミー電極２９０のほか、所定の方向にラビング処理が施された配向膜２０８が形成されている。一方、第２基板２００の外側（観察側の反対側）には偏光子１２１が貼り付けられて（図３では省略）、その吸収軸が、配向膜２０８へのラビング処理の方向に対応して設定されている。このほかに、第２基板２００の外側には、均一に光を照射するバックライトユニットが設けられるが、本件とは直接には関係しないので、図示を省略している。
【００７５】
なお、第１実施形態においては、上述の偏光子１２１及び１３１の配置関係の如何等に応じ、いわゆる「ノーマリブラックモード」で駆動されるようになっている。ここでノーマリブラックモードとは、液晶１１８に電界がかけられていないとき、第１基板３００から第２基板２００へと光が透過しないように、偏光子１２１及び１３１の配置態様の設定等がされた場合に実現されるモードである。より具体的には、液晶１１８がＴＮ型液晶からなる場合においては、偏光子１２１により規定される偏光方向と偏光子１３１により規定されるそれとを平行な関係にする、等とすればよい。この場合、一般には、液晶１１８にかけられる電圧が大きければ大きいほど、また、その印加時間が長ければ長いほど、画像表示領域は白色表示されることになる。なお、「ノーマリブラックモード」を実現するためには、上述した構成の他、液晶１１８がＳＴＮ形液晶からなる場合等に応じて、偏光子１２１及び１３１間で適当な角度差を設定し、あるいは位相差板（Ｒｅｔａｒｄａｔｉｏｎ　Ｆｉｌｍ）等の構成を別途設けること等が必要な場合がある。例えば、液晶１１８がＳＴＮ形である場合等においては、図４においては図示されていないが、当該液晶１１８を通過した楕円偏光の主軸を一定方向に回転させること（すなわち、色を消去すること）等を目的として、射出光側に位相差板が設けられることがある。
【００７６】
続いて、画像表示領域外について説明すると、図３に示すように、第１基板３００から張り出した第２基板２００上の二辺には、データ電極２１２を駆動するためのデータ電極駆動回路２５０、及び、走査電極３１２を駆動するための走査電極駆動回路３５０が、それぞれＣＯＧ（Ｃｈｉｐ　Ｏｎ　Ｇｌａｓｓ）技術により実装されている。これにより、データ電極駆動回路２５０は、データ電極２１２にデータ信号を直接的に供給する一方、走査電極駆動回路３５０は、配線３４２及び導電性粒子１１４を介して、走査電極３１２に走査信号を間接的に供給する構成となっている。
【００７７】
また、データ電極駆動回路２５０が実装される領域の外側近傍には、ＦＰＣ（Ｆｌｅｘｉｂｌｅ　Ｐｒｉｎｔｅｄ　Ｃｉｒｃｕｉｔ）基板が接合されて、制御回路などによる各種信号や電圧信号などが、走査電極駆動回路２５０及びデータ電極駆動回路３５０に供給される。
【００７８】
ここで第１実施形態においては、第２基板２００上に、Ｘ方向ダミー電極３９０及びＹ方向ダミー電極２９０を駆動するためのダミー電極駆動回路９００が、上述のデータ電極駆動回路２５０及び走査電極駆動回路３５０と同様に、ＣＯＧ技術により実装されている。ただし、第１実施形態におけるダミー電極駆動回路９００は、図２に示したように、比較的簡易な構成からなるから、場合によっては、第２基板２００上に直接に作りこむような形態としてもよい。
【００７９】
なお、図１におけるデータ電極駆動回路２５０及び走査電極駆動回路３５０は、図３とは異なり、それぞれ電気光学装置の左側及び上側にそれぞれ位置しているが、これは、電気的な構成を説明するための便宜上の措置に過ぎない。また、データ電極駆動回路３５０及び走査電極駆動回路２５０並びにダミー電極駆動回路９００を、それぞれ第２基板２００上にＣＯＧ実装する代わりに、例えば、ＴＡＢ（Ｔａｐｅ　Ｃａｒｒｉｅｒ　Ｐａｃｋａｇｅ）技術を用いて、各駆動回路が実装されたＴＣＰを異方性導電膜により電気的に接続する構成としてもよい。
【００８０】
＜駆動方法＞
以下では、上述のように構成された電気光学装置ないし画素部１１６の駆動方法、並びに、Ｘ方向ダミー電極３９０及びＹ方向ダミー電極２９０の駆動方法について説明する。なお、以下ではまず、走査電極３１２及びデータ電極２１２の最も基本的な動作を説明した後、Ｘ方向ダミー電極３９０及びＹ方向ダミー電極２９０の動作について、より詳しい説明を行うこととする。
【００８１】
まず、第１実施形態における走査電極３１２及びデータ電極２１２については、前述の走査電極駆動回路３５０及びデータ電極駆動回路２５０によって、図５に示すような駆動が実施される。図５において、走査電極３１２は、１行目（図１参照）から１本ずつ順次に選択されている。すなわち、第一に、１行目の走査電極３１２に走査信号としての選択電圧＋Ｖ２を印加した後、第二に、２行目の走査電極３１２に選択電圧＋Ｖ２を印加するとともに１行目の走査電極３１２には非選択電圧０〔Ｖ〕を印加する、ということが、ｍ行目の走査電極３１２まで続く。この選択は、前述のクロック信号ＨＣＫのタイミングに同期するように行われる。
【００８２】
なお、ｍ行目までの走査電極３１２までの選択が完了し、再び１行目の走査電極３１２を選択する際には、該１行目の走査電極３１２に対しては、走査信号として選択電圧−Ｖ２を印加するようになっている。つまり、一垂直走査期間（１Ｆ）毎に、極性が反転するような駆動が実施される。これは、前述の極性反転信号ＦＲのレベルに応じて行われる。このような反転駆動を実施すれば、液晶１１８に直流成分が連続的にかかるという事態を回避することができ、その劣化を未然に防止することが可能となる。
【００８３】
他方、データ電極２１２に対しては、選択された走査電極３１２、かつ、各データ電極２１２に対応する階調データに基づいて生成されたデータ信号が供給されるようになっている。第１実施形態では、各データ電極２１２に対するデータ信号の転送は、該データ電極２１２の１本１本に対応するデータ信号を前述のクロック信号ＳＣＫのタイミングに従って順次ラッチした後、これらを一斉に全データ電極２１２に供給することにより行われる。また、第１実施形態では、データ信号としては、図５に示すように、オン電圧として、電圧＋Ｖ１及び−Ｖ１がそれぞれ印加される（なお、これらの場合、オフ電圧はそれぞれ−Ｖ１及び＋Ｖ１となる。）。ここで、＋Ｖ１か−Ｖ１かの選択は、表示データと極性反転信号ＦＲ、あるいは、被選択の走査電極３１２が、選択電圧＋Ｖ２により選択されているか選択電圧−Ｖ２により選択されているかに応じる。
【００８４】
これが、走査電極３１２及びデータ電極２１２の最も基本的な動作である。
【００８５】
そして、第１実施形態では特に、この動作と並行して、ダミー電極２９０及び３９０の駆動が以下のように行われる。以下では、これを図６を参照しながら説明する。ここに図６は、第１実施形態に係るダミー電極２９０及び３９０の駆動方法を説明するためのタイミングチャートである。
【００８６】
まず、Ｙ方向ダミー電極２９０については、その表示状態が常にオン状態となるようなデータ信号が供給されている。すなわち、該Ｙ方向ダミー電極２９０には、＋Ｖ１又は‐Ｖ１が常に供給され続けることになる。より具体的には、既に参照した図２に示すように、フリップフロップＤＦＦ１は、クロック信号ＨＣＫに従って、極性反転信号ＦＲの値を出力ＱとしてアナログスイッチＡＳ１に供給する。アナログスイッチＡＳ１では、例えば、極性反転信号ＦＲがＨレベルにあるときは電圧＋Ｖ１を出力し、Ｌレベルにあるときは電圧−Ｖ１を出力する。したがって、Ｙ方向ダミー電極２９０には、極性反転信号ＦＲに応じたオン信号（＝＋Ｖ１又は−Ｖ１）が供給されることになる（図６参照）。
【００８７】
一方、Ｘ方向ダミー電極３９０については、一水平走査期間（１Ｈ）の中間点において、その極性が反転する信号が供給されている。より具体的には、図６に示すように、まず、カウンタＣＴが、クロック信号ＨＣＫを起点として、クロック信号ＳＣＫの立ち上がりを所定数だけカウントする。ここでは、上述したようにデータ電極２１２一本ずつに順次にデータ信号がラッチされるようになっているから、該データ電極２１２の総数ｎ本の半分、すなわちｎ／２だけカウントするようになっている。つまり、このカウントに要する時間は、一水平走査期間（１Ｈ）の中間点に達するまでの時間に一致する。そして、このｎ／２をカウントすると、カウンタＣＴは、図２に示したように、カウンタ信号ＣＫ１をフリップフロップＤＦＦ２の入力ＣＫとして供給する。ここで、フリップフロップＤＦＦ２は、入力Ｄとして、自身の出力／Ｑが供給されるようになっているから、これはＴ−フリップフロップとして機能し、前記カウンタ信号ＣＫ１に従って、反転した出力ＱをアナログスイッチＡＳ２に供給する。アナログスイッチＡＳ２では、例えば、出力ＱがＬレベルであるときは電圧＋Ｖ１を出力し、出力ＱがＨレベルであるときは電圧−Ｖ１を出力する。このように、Ｘ方向ダミー電極２９０には、一水平走査期間（１Ｈ）の中間点において、その極性が反転する信号が供給されることになる。
【００８８】
このような駆動が、ダミー電極２９０及び３９０について実施されることによって、周辺領域では以下のような表示が行われることになる。すなわちまず、Ｙ方向ダミー電極２９０の表示状態が常にオン状態とされていることにより、これと交差する走査電極３１２のいずれが選択されようとも、そこは必ず白色表示されることになる。つまり、図１中、１列目のデータ電極２１２の左側に位置する周辺領域及びｎ列目のデータ電極２１２の右側に位置する周辺領域では、常に、白色表示が実現されることになる。
【００８９】
一方、Ｘ方向ダミー電極３９０では、一水平走査期間（１Ｈ）の中間点において、その極性が反転される信号が供給されていることにより、これと交差するデータ電極２１２にどのような信号が供給されようとも、該Ｘ方向ダミー電極３９０に対応する画素部１１６Ｄの表示状態は常にオン状態とされていることになる。
【００９０】
以下では、このことを、Ｘ方向ダミー電極３９０に交差する上述のＹ方向ダミー電極２９０との関係に着目して、図７を参照しながら説明することとする。ここに図７は、Ｙ方向ダミー電極２９０に印加される電圧の波形例（図７（ａ））、Ｘ方向ダミー電極３９０に印加される電圧の波形例（図７（ｂ））、及びこれらダミー電極２９０及び３９０の交差領域に対応する液晶１１８Ｄに印加される電圧の波形例（図７（ｃ））、をそれぞれ示す図である。
【００９１】
この図７において、Ｙ方向ダミー電極２９０及びＸ方向ダミー電極３９０は、既に述べたような駆動が実施されている。すなわち、Ｙ方向ダミー電極２９０は、極性反転信号ＦＲに応じて、電圧＋Ｖ１又は−Ｖ１が印加されている（図７（ａ）及び図６参照）。一方、Ｘ方向ダミー電極３９０は、一水平走査期間（１Ｈ）の中間点において、その極性が反転する電圧が印加されており、より具体的には、一水平走査期間（１Ｈ）の前半部分では電圧−Ｖ１が印加され、その後半部分では電圧＋Ｖ１が印加されている（図７（ｂ）参照）。
【００９２】
したがって、これらＹ方向ダミー電極２９０及びＸ方向ダミー電極３９０の交差領域における液晶１１８Ｄには、図７（ｃ）に示されるように、Ｙ方向ダミー電極２９０に印加される電圧とＸ方向ダミー電極３９０に印加される電圧との差に対応する電圧が印加されることになる。例えば、図中最初の水平走査期間（１Ｈ）の前半部分では、Ｙ方向ダミー電極２９０には＋Ｖ１が印加され、Ｘ方向ダミー電極３９０には−Ｖ１が印加される結果、当該液晶には、電圧＋２Ｖ１が印加されることになる。また、その後半部分では、Ｙ方向ダミー電極２９０にはそのまま＋Ｖ１が印加され、Ｘ方向ダミー電極３９０には当該水平走査期間（１Ｈ）の中間点で切り替わった電圧＋Ｖ１が印加される結果、当該液晶１１８Ｄには、０ボルトの電圧が印加されることになる（すなわち、両者間の電圧差はなくなることになる。）。以降、続く水平走査期間（１Ｈ）においても同様であり、液晶１１８Ｄには、結果的に図７（ｃ）に示されているような電圧が印加されることになる。ここで、Ｖ１の値を適当に設定すれば、当該液晶１１８Ｄにかかる実効電圧値を所定値以上とすること、すなわち該液晶１１８Ｄに対して白色表示可能な電圧以上の実効電圧値を印加することが可能となる。
【００９３】
例えば、液晶１１８Ｄの表示状態がオン状態となる実効電圧値が１．９６〔Ｖ〕であり、オフ状態となるそれが１．７９〔Ｖ〕であって、一水平走査期間（１Ｈ）の長さが７０〔μｓ〕である場合において、いま仮に、第１実施形態における中間電圧Ｖｍが０〔Ｖ〕であるという仮定を捨て、＋Ｖ１＝３．０〔Ｖ〕、−Ｖ１＝０〔Ｖ〕という場合を仮定すると、図７（ｃ）に示すような場合において、液晶に印加される実効電圧値は、約２．１２〔Ｖ〕となり、十分に駆動電圧を越えさせることが可能となる。
【００９４】
そして、重要なのは、Ｘ方向ダミー電極３９０における電圧印加の態様を、上述のように一水平走査期間（１Ｈ）の中間点においてその極性を反転させることとすれば、データ電極２１２に対してどのような電圧波形が印加されようとも、必ず、液晶１１８Ｄにかけられる電圧値は、その表示状態がオン状態となるのに必要な実効電圧値を超えることにある。例えば、図８に示すように、走査電極３１２が順次、選択されている場合において、或るデータ電極２１２に、図８（ａ）に示すようなデータ信号が印加されたとしても、それに交差するＸ方向ダミー電極３９０には、図８（ｂ）に示す波形の電圧が印加されることになるから、それらの合成波形は、図８（ｃ）に示すようなものとなる。なお、図８（ｂ）は、図７（ｂ）に全く同じであることは言うまでもない。
【００９５】
要するに、図１中、１行目の走査電極３１２の上側に位置する周辺領域及びｍ行目の走査電極３１２の下側に位置する周辺領域では、常に、白色表示が実現されることになるのである。
【００９６】
尚、上記実施形態で、一水平期間（１Ｈ）の中間点で極性反転しているが、この極性反転位置は、液晶の劣化が発生しない範囲で中間点からずれても良い。
【００９７】
以上述べたように、第１実施形態に係る電気光学装置及びその駆動方法によれば、Ｘ方向ダミー電極３９０及びＹ方向ダミー電極２９０が設けられるとともに、これらダミー電極３９０及び２９０が上述のように駆動されることによって、周辺領域における常時の白色表示が行われることになる。そして、これによって、画像表示領域ＤＡＲの際（きわ）において、画像又は文字等を表示する場合にあって、該画像又は文字等の縁と周辺領域との間に重なり合いが生じたとしても、これらの認識が困難になるという事態を有効に解消することができる。
【００９８】
これを図示すれば、例えば、図９のようになる。ここに図９は、電気光学装置における画像表示例を示す図であって、図９（ａ）は、第１実施形態に係る電気光学装置における画像表示例を示し、図９（ｂ）は従来の電気光学装置におけるそれを示している。このうち、まず従来の電気光学装置では、図９（ｂ）に示すように、画像表示領域ＤＡＲに黒色の階調で示された文字「ＡＢＣＤ」のうちの「Ａ」という文字の縁と周辺領域ＰＡＲとが部分的に重なり合っており、その認識が困難となっている。また、併せて示されている三角印の形状についても、その頂点部分が周辺領域ＰＡＲと部分的に重なり合っており、その認識が困難となっている。これは、従来において、周辺領域ＰＡＲについては、何らの配慮も施されておらず黒色の外観を呈していたことによる。これに対して、第１実施形態に係る電気光学装置では、図９（ａ）に示すように、周辺領域ＰＡＲにおいて白色表示がなされていることにより、「Ａ」という文字、あるいは三角印の形状をはっきりと認識することができるのである。
【００９９】
また、第１実施形態では、このような作用効果を、データ電極駆動回路２５０や走査電極駆動回路３５０等の構成について特に手を入れることなく、上述した図２及び図６に示したような、極めて簡易な構成及び駆動方法のみで実現可能であるから、極めて安価に目的を達成することができる。さらに、第１実施形態では、Ｘ方向ダミー電極３９０及びＹ方向ダミー電極２９０に供給される電圧、データ電極２１２に供給されるデータ電圧のいずれについても、＋Ｖ１及び−Ｖ１と共通に使用される形態となっていたことにより、扱う電圧、あるいは電源の数を増加させることがないから、低コスト化を図ることができる。
【０１００】
なお、上記第１実施形態においては、周辺領域において白色表示をなす形態について説明したが、本発明は、このような形態に限定されるものではない。例えば、ダミー電極２９０及び３９０それぞれに適当な波形の電圧を印加することで、当該液晶１１８Ｄに適当な合成波形が印加されるようにし、周辺領域において中間調表示を行うような形態としてもよい。
【０１０１】
より具体的には、Ｘ方向ダミー電極３９０に対し、図１０に示すように、一水平走査期間（１Ｈ）の中間点でその極性が反転する信号であって、該水平走査期間の開始時から所定の期間ＩＮＴ１及び該期間の終了時から遡る所定の期間ＩＮＴ２の少なくとも一方において中間電圧値が印加される信号などとすることが可能である。このような場合では、図７（ｂ）あるいは図８（ｂ）に示すような波形例に比べて、液晶１１８Ｄにかかる実効電圧値を小さくすることが可能となる。また、これらの所定の期間ＩＮＴ１及びＩＮＴ２の長さを調整することによって、液晶１１８Ｄに対して印加される電圧値を調整することも可能である。したがって、このような形態によれば、例えば、図７（ｂ）あるいは図８（ｂ）に示したような波形によると液晶１１８Ｄに対して過剰な電圧がかかるという場合において有効であることがわかる。なお、図１０においては、所定の期間ＩＮＴ１及びＩＮＴ２を一水平走査期間の開始時及び終了時のいずれについても設けているが、本発明は、このような形態に限定されるものではない。例えば、期間ＩＮＴ１のみ、又は期間ＩＮＴ２のみを設けるような形態としてよいことは勿論である。
【０１０２】
また、この図１０に示すような形態では、液晶１１８Ｄにかかる電圧値が小さくなることにより、周辺領域ＰＡＲで、中間調表示を行うことが可能となる。したがって、本形態によれば、周辺領域ＰＡＲを単に白色表示にするというのではなくて、当該電気光学装置の使用環境等に応じ、よりきめ細かな対応を行うことが可能である。なお、このような場合であっても、画像表示領域ＤＡＲ内に表示される画像又は文字等の階調によっては、該画像又は文字等と周辺領域ＰＡＲとの区別を容易になし得る場合を想定することは容易にできるから、本発明の課題解決が妨げられるということはない。
【０１０３】
要するに、本発明においては、最低限、周辺領域ＰＡＲにおいて、画像表示領域ＤＡＲ内に表示される画像の階調とは異なる階調の表示がなされるようにすればよい。そのようであれば、本発明に係る課題を、相応に解決することができるのである。
【０１０４】
ちなみに、上記ではノーマリブラックモードを前提とした説明を行ったが、ノーマリホワイトモードであっても本発明の適用が可能なことは言うまでもない。この場合、ダミー電極２９０及び３９０によって、周辺領域ＰＡＲが白色表示されるのではなく、黒色表示されることになるに過ぎず、本質的な差異は何もない。
【０１０５】
また、上述の第１実施形態では、走査電極３１２の選択を、選択電圧＋Ｖ２又は−Ｖ２の二種のみを用い、１本ずつ且つ順次に行うような形態として説明したが、本発明は、このような形態に限定されるものではない。
【０１０６】
例えば、図１１に示すように、走査電極３１２を選択するために使用する選択電圧として、Ｖ１〜Ｖ６という六つの電圧値を使用するような形態としてもよい。この図においては、電圧がＶ１又はＶ６とされているときに、当該走査電極３１２は「選択」されていることを意味している（すなわち、「選択電圧」が「Ｖ１」又は「Ｖ６」である。）。そして、図中左方に示されている選択電圧Ｖ１の印加の後の電圧Ｖ５、及び、図中右方に示されている選択電圧Ｖ６の印加の後の電圧Ｖ２は、それぞれ非選択電圧としての意味を有している。
【０１０７】
また、この形態では、データ電極２１２に印加されているデータ信号についても、当該六つの電圧値Ｖ１〜Ｖ６が利用されている。すなわち、ある走査電極３１２が選択電圧Ｖ１で選択されているときには、データ信号としては、電圧値Ｖ４とＶ６の電圧の電圧値を用いて液晶１１８に対する電圧印加を実施するようになっている。これに対し、ある走査電極３１２が、選択電圧Ｖ６で選択されているときには、データ信号として、電圧値Ｖ１とＶ３の電圧の電圧値が用いられている。このような形態によれば、図５に示した駆動方法に比べて、最大駆動電圧の低減化を図ることができる。
【０１０８】
あるいはまた、図１２に示すように、一時に複数本の走査電極３１２を選択するような形態としてもよい。この図においては、１〜４行目の走査電極３１２が一時に選択される形態が示されている。この場合、一時に選択された走査電極３１２間では、互いが直交関係にあるように、プラス極性又はマイナス極性の選択電圧が印加されるようになっている。すなわち、１行目の走査電極３１２ではプラス、マイナス、プラス、プラス、２行目の走査電極３１２ではマイナス、プラス、プラス、プラス、３行目の走査電極３１２では、プラス、プラス、プラス、マイナス、４行目の走査電極３１２では、プラス、プラス、マイナス、プラスというようである。なお、このような関係を満たせばよいから、例えば、図１２において１行目の走査電極３１２と２行目の走査電極を入れ替えるような形としても問題はない。このような形態によれば、図５に示した駆動方法に比べて、画像のコントラスト比を上昇させることが可能となる。
【０１０９】
いずれにせよ、これらのような形態によって、走査電極３１２及びデータ電極２１２を駆動するものとしても、本発明の本質的な部分に変更を加える必要は全くない。例えば、図１１に示すような駆動方法においては、図６に示したアナログスイッチＡＳ１及びＡＳ２に対して、前記の六つの電圧値Ｖ１〜Ｖ６を供給するようにし、これらの中から適当なものを選択する構成を加えるなどの措置をとればよい。
【０１１０】
＜第２実施形態＞
以下では、本発明の第２実施形態について、図１３及び図１４を参照しながら説明する。なお、第２実施形態では、電気光学装置の構成並びに走査電極３１２及びデータ電極２１２の基本的な駆動方法等については、上述の第１実施形態と全く同様であるので、それに関する説明については適当に省略ないし簡略化することとし、第２実施形態における特徴的な部分について主に説明を加えることとする。
【０１１１】
第２実施形態では、図２に示したダミー電極駆動回路９００に代えて、図１３に示すようなダミー電極駆動回路９００´を用いることによって、図１４に示すような駆動を行う。まず、この図１３において、ダミー電極駆動回路９００´は、フリップフロップＤＦＦ３、ＤＦＦ４、ＤＦＦ５及びＤＦＦ６、ＮＯＲ素子Ｎ１、ＡＮＤ素子Ａ１及びＡ２、並びに、アナログスイッチＡＳ３及びＡＳ４から構成されている。
【０１１２】
このうち、極性反転信号ＦＲ及びクロック信号ＨＣＫの入力を受けて動作するフリップフロップＤＦＦ３、その出力Ｑを受けて動作するアナログスイッチＡＳ３、及び、Ｙ方向ダミー電極２９０間の関係については、図２と全く同様である。したがって、Ｙ方向ダミー電極２９０における印加電圧の波形は、図１４に示すように、図６と略同様であって、極性反転信号ＦＲに応じた電圧＋Ｖ１又は−Ｖ１が印加されることで、その表示状態が、常にオン状態となるようにされている。
【０１１３】
一方、Ｘ方向ダミー電極３９０は、上記第１実施形態とは異なる。まず、図１３において、フリップフロップＤＦＦ４には、その入力ＣＫとして前記のクロック信号ＨＣＫが供給されるとともに、その入力ＤとしてスタートパルスＤＹが入力されるようになっている。ここに、スタートパルスＤＹとは、一垂直走査期間（１Ｆ）の開始点を規定するパルス信号であり、図１に示した制御回路４００から出力されるものである。そして、フリップフロップＤＦＦ４の出力Ｑは、フリップフロップＤＦＦ５の入力Ｄとして供給され、該ＤＦＦ５の入力ＣＫとしては前記のクロック信号ＨＣＫが供給されるようになっている。また、これら二つのフリップフロップＤＦＦ４及びＤＦＦ５における、それぞれの出力ＱはＮＯＲ素子Ｎ１に供給されている。ＮＯＲ素子Ｎ１は、それらの論理和の否定を出力して、ＡＮＤ素子Ａ１及びＡ２それぞれの一端、並びに、アナログスイッチＡＳ４に供給する。
【０１１４】
一方、フリップフロップＤＦＦ６の入力Ｄとしては前記の極性反転信号ＦＲが供給されるとともに、入力ＣＫとしては前記のクロック信号ＨＣＫが供給されるようになっており、その出力Ｑ及び出力／Ｑは、それぞれ、ＡＮＤ素子Ａ１の他端及びＡＮＤ素子Ａ２の他端に供給されるようになっている。
【０１１５】
最後に、アナログスイッチＡＳ４には、ＡＮＤ素子Ａ１及びＡ２からの出力信号と、ＮＯＲ素子Ｎ１からの出力信号が入力されるようになっている。これにより、アナログスイッチＡＳ４では、三つの電圧＋Ｖ２及び−Ｖ２並びにこれらの中間電圧０のいずれかが選択されて出力されるようになっている。Ｘ方向ダミー電極３９０は、このアナログスイッチＡＳ４の出力を受けて所定の電位に維持されることになる。
【０１１６】
以上のようなダミー電極駆動回路９００´によれば、Ｘ方向ダミー電極３９０については、図１４に示すような駆動が行われる。以下、これを、図１５を参照しながら説明する。ここに、図１５は、ダミー電極駆動回路９００´中の各ポイントにおける真理値表である。
【０１１７】
まず、フリップフロップＤＦＦ４では、クロック信号ＨＣＫに従って、スタートパルスＤＹの値を出力し、これがＮＯＲ素子Ｎ１の一端及び次段のフリップフロップＤＦＦ５の入力Ｄに供給される。フリップフロップＤＦＦ５では、その出力Ｑとして、クロック信号ＨＣＫにおけるワンパルス分遅れて、スタートパルスＤＹの値を出力し、これがＮＯＲ素子Ｎ１の他端に供給される。すなわち、フリップフロップＤＦＦ４及びＤＦＦ５の出力信号α及びβは、それぞれ、スタートパルスＤＹが立ち上がった状態における最初のクロック信号ＨＣＫの供給時点で１及び０となり、次のクロック信号ＨＣＫの供給時点で０及び１となり、その後、次のスタートパルスＤＹが立ち上がるまでは０及び０となる。したがって、ＮＯＲ素子Ｎ１は、スタートパルスＤＹが立ち上がった直後のクロック信号ＨＣＫ供給時点と、スタートパルスＤＹが立ち下がった直後のクロック信号ＨＣＫの供給時点との間では０を出力し、それ以外の期間では１を出力することになる。そして、これらの値は、ＡＮＤ素子Ａ１及びＡ２それぞれの一端に供給される。
【０１１８】
一方、フリップフロップＤＦＦ６は、クロック信号ＨＣＫに従って、極性反転信号ＦＲの値を出力ＱとしてＡＮＤ素子Ａ１の他端に供給するとともに、その反転した値を出力／ＱとしてＡＮＤ素子Ａ２の他端に供給する（図１５中、出力信号δ及び／δの欄参照）。
【０１１９】
このようなことから、まず、ＡＮＤ素子Ａ２は、極性反転信号ＦＲがＨレベルにある場合において、スタートパルスＤＹが立ち上がった直後のクロック信号ＨＣＫの供給時点からスタートパルスＤＹが立ち下がった直後のクロック信号ＨＣＫの供給時点に至るまで、要するに、二水平走査期間（２Ｈ）、Ｈレベルの信号を出力する。この際、ＡＮＤ素子Ａ１の出力はＬレベルであり、かつ、アナログスイッチＡＳ４に供給されていたＮＯＲ素子Ｎ１の出力信号γもＬレベルにある（以下、これを「状態Ｈ」という。）。また、極性反転信号ＦＲがＬレベルにある場合においては、これとは全く逆の状態になる（以下、これを「状態Ｌ」という。）。そして、これ以外の場合、つまりスタートパルスＤＹに変化がない場合においては、ＡＮＤ素子Ａ１及びＡ２共にＬレベルの信号を出力する。ただし、この際、ＮＯＲ素子Ｎ１の出力信号γはＨレベルにある（以下、これを「状態Ｎ」という。）。
【０１２０】
以上のようなことから結局、アナログスイッチＡＳ４では、例えば、状態Ｈにあるときは電圧＋Ｖ２を出力し、状態Ｌにあるときは電圧−Ｖ２を出力し、状態Ｎにあるときは電圧０を出力する。このように、Ｘ方向ダミー電極２９０には、図１４に示すように、スタートパルスＤＹの印加時点に対応して、二水平走査期間（２Ｈ）、電圧＋Ｖ２又は電圧−Ｖ２が印加される波形の電圧が印加されることになる。
【０１２１】
このようなことから、第２実施形態では、通常の場合より一水平走査期間（１Ｈ）だけ時間が延びた分、液晶１１８Ｄにかけうる実効電圧値を稼ぐことができる。したがって、電圧値＋Ｖ２及び−Ｖ２の値を適当に設定すれば、当該液晶１１８Ｄにかかる実効電圧値を所定値以上とすること、すなわち該液晶１１８Ｄにおいて白色表示可能な以上の実効電圧値を印加することが可能となる。
【０１２２】
例えば、液晶１１８Ｄの表示状態がオン状態及びオフ状態となる実効電圧値並びに一水平走査期間の長さが上記第１実施形態で示した具体値の例と同様であって、ここでも仮に中間電圧Ｖｍが０〔Ｖ〕であるという仮定を捨て、＋Ｖ２＝１６．５〔Ｖ〕、−Ｖ２＝−１３．５〔Ｖ〕、＋Ｖ１＝３〔Ｖ〕、−Ｖ１＝０〔Ｖ〕で走査電極の数を１６０という場合を仮定すると、図１４に示すような場合において、液晶１１８Ｄに印加される実効電圧値は、約２．１２〜２．３７〔Ｖ〕となり、十分に駆動電圧を越えさせることが可能となる。
【０１２３】
なお、上記第２実施形態では、Ｘ方向ダミー電極３９０に対して、二水平走査期間（２Ｈ）にわたり、電圧＋Ｖ２又は−Ｖ２を印加する形態について説明したが、本発明はこのような形態に限定されるものではない。例えば、二水平走査期間以上、つまり三水平走査期間（３Ｈ）以上、電圧を印加するような形態としてもよい。このような場合であっても、電圧印加時間の長期化により、液晶１１８Ｄにかかる実効電圧値を稼ぐことは可能だからである。ただし、むやみに長期化すればよいというものでもなく、最も好ましい形態は、上記第２実施形態のように「二水平走査期間（２Ｈ）」とする形態であると考えられる。
【０１２４】
（電子機器）
次に、上述した実施形態に係る電気光学装置を電子機器に用いた例について説明する。
【０１２５】
＜モバイル型コンピュータ＞
まず、上述し電気光学装置を、パーソナルコンピュータの表示部に適用した例について説明する。図１６は、このパーソナルコンピュータの構成を示す斜視図である。この図において、コンピュータ１１００は、キーボード１１０２を備えた本体部１１０４と、表示部として用いられる表示装置１００とを備えている。なお、表示装置１００として透過型液晶表示装置を用いる場合には、暗所での視認性を確保するため、背面にバックライト（図示略）が設けられる。
【０１２６】
＜携帯電話＞
次に、上述した電気光学装置を、携帯電話の表示部に適用した例について説明する。図１７は、この携帯電話の構成を示す斜視図である。この図において、携帯電話１２００は、複数の操作ボタン１２０２のほか、受話口１２０４、送話口１２０６とともに、上述した電気光学装置を表示装置１００として備えるものである。なお、表示装置１００として、液晶装置を用いる場合には、暗所での視認性を確保するため、透過型や半透過半反射型であればバックライトが、反射型であればフロントライト（いずれも図示省略）がそれぞれ設けられる。
【０１２７】
＜デジタルスチルカメラ＞
次に、上述した電気光学装置を、ファインダに用いたデジタルスチルカメラについて説明する。図１８は、このデジタルスチルカメラの背面を示す斜視図である。通常の銀塩カメラは、被写体の光像によってフィルムを感光させるのに対し、デジタルスチルカメラ１３００は、被写体の光像をＣＣＤなどの撮像素子により光電変換して撮像信号を生成するものである。ここでデジタルスチルカメラにおけるケース１３０２の背面には、上述した電気光学装置が表示装置１００として設けられ、ＣＣＤによる撮像信号に基づいて、表示を行うようになっている。このため、表示装置１００は、被写体を表示するファインダとして機能することになる。また、ケース１３０２の前面側（図においては裏面側）には、光学レンズやＣＣＤなどを含んで受光ユニット１３０４が設けられている。
【０１２８】
ここで撮影者が、表示装置１００に表示された被写像を確認して、シャッタボタン１３０６を押下すると、その時点におけるＣＣＤの撮像信号が、回路基板１３０８のメモリに転送・格納される。
【０１２９】
また、デジタルスチルカメラ１３００にあっては、ケース１３０２の側面に外部表示を行うために、ビデオ信号出力端子１３１２と、データ通信用の入力端子１３１４とが設けられている。
【０１３０】
なお、電子機器としては、これらの他、液晶テレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【０１３１】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその駆動方法並びに電子機器もまた、本発明の技術的範囲に含まれるものである。
【図面の簡単な説明】
【図１】本発明の第１実施形態に係る電気光学装置の電気的な構成を示すブロック図である。
【図２】ダミー電極駆動回路の電気的な構成を示すブロック図である。
【図３】同電気光学装置の構成を示す斜視図である。
【図４】同電気光学装置をＸ方向で破断した場合の構成を示す部分断面図である。
【図５】第１実施形態に係る電気光学装置の走査電極及びデータ電極の駆動方法を示す説明図である。
【図６】第１実施形態に係るダミー電極の駆動方法を説明するためのタイミングチャートである。
【図７】Ｘ方向ダミー電極に印加される電圧波形によって白色表示がなされることを示す説明図であって、（ａ）はＹ方向ダミー電極に印加される電圧の波形例、（ｂ）はＸ方向ダミー電極に印加される電圧の波形例、（ｃ）はこれらの電極の交差領域に対応する液晶に印加される電圧の波形例、をそれぞれ示している。
【図８】Ｘ方向ダミー電極に印加される電圧波形によって白色表示がなされることを示す説明図であって、（ａ）は一般のデータ電極に印加される電圧の波形例、（ｂ）はＸ方向ダミー電極に印加される電圧の波形例、（ｃ）はこれらの電極の交差領域に対応する液晶に印加される電圧の波形例、をそれぞれ示している。
【図９】電気光学装置による画像の表示例を示す図であって、（ａ）は第１実施形態に係る電気光学装置におけるもの、（ｂ）は従来の電気光学装置におけるもの、をそれぞれ示している。
【図１０】図７及び図８と同趣旨の図であって、Ｘ方向ダミー電極に印加される電圧波形の変形例を示す図である。
【図１１】図５と同趣旨の図であって、走査電極及びデータ電極の別の駆動方法を示す図である。
【図１２】図５及び図１１と同趣旨の図であって、走査電極及びデータ電極の別の駆動方法を示す図である。
【図１３】本発明の第２実施形態に係るダミー電極駆動回路の電気的な構成を示すブロック図である。
【図１４】第２実施形態に係るダミー電極の駆動方法を示す説明図である。
【図１５】図１３に示すダミー電極駆動回路の各ポイントにおける真理値表である。
【図１６】実施形態に係る電気光学装置を適用した電子機器の一例たるパーソナルコンピュータの構成を示す斜視図である。
【図１７】同電気光学装置を適用した電子機器の一例たる携帯電話の構成を示す斜視図である。
【図１８】同電気光学装置を適用した電子機器の一例たるディジタルスチルカメラの背面構成を示す斜視図である。
【符号の説明】
１１６……画素部
１１８……液晶
２００……第２基板
２１２……データ電極
２５０……データ電極駆動回路
２９０……Ｙ方向ダミー電極（第１表示領域外導電部）
３００……第１基板
３１２……走査電極
３５０……走査電極駆動回路
３９０……Ｘ方向ダミー電極（第２表示領域外導電部）
９００、９００´……ダミー電極駆動回路
１１００……パーソナルコンピュータ
１２００……携帯電話
１３００……ディジタルスチルカメラ
【図１】
2004029580.tif 000003
【図２】
2004029580.tif 000004
【図３】
2004029580.tif 000005
【図４】
2004029580.tif 000006
【図５】
2004029580.tif 000007
【図６】
2004029580.tif 000008
【図７】
2004029580.tif 000009
【図８】
2004029580.tif 000010
【図９】
2004029580.tif 000011
【図１０】
2004029580.tif 000012
【図１１】
2004029580.tif 000013
【図１２】
2004029580.tif 000014
【図１３】
2004029580.tif 000015
【図１４】
2004029580.tif 000016
【図１５】
2004029580.tif 000017
【図１６】
2004029580.tif 000018
【図１７】
2004029580.tif 000019
【図１８】
2004029580.tif 000020